(57)【要約】  本発明は、ネットの左右側のうちの一方の長さを短くすることにより、スイングの際にゴルフクラブがネットにかかることなく安全にスイングすることができるゴルフ練習用ネットに関するもので、一定の枠組みをなすためのフレーム部と、フレーム部を連結させる連結キャップと、フレーム部を囲むネット部と、を含み、フレーム部は、一定の間隔を置いて左右に垂直に立設される後方垂直フレーム、及び後方垂直フレームの上、下端部にそれぞれ設置される後方水平フレームで構成された後方フレームと、後方フレームの前方左側に設置される前方左側フレーム、及び後方フレームの前方右側に設置される前方右側フレームで構成された前方フレームと、を含み、前方左側フレームと前方右側フレームの長さを互いに異なるようにして、前方右側フレームと前方左側フレームの正面端の上、下部にそれぞれ上部連結フレーム及び下部連結フレームを連結させて上、下部連結フレームが前方左側フレームと前方右側フレームの正面で傾くように斜線をなし、前方左、右側フレームの前方端には、上、下部に備えられる前方左、右側フレームを支持することができるように前方左、右側支持フレームが垂直に立設されることを特徴とする。【選択図】図３
2021514285.tif 000002
【特許請求の範囲】
【請求項１】
一定の枠組みをなすためのフレーム部と、
前記フレーム部を連結させる連結キャップと、
前記フレーム部を囲むネット部と、を含み、
前記フレーム部は、一定の間隔を置いて左右に垂直に立設される後方垂直フレーム、及び前記後方垂直フレームの上、下端部にそれぞれ設置される後方水平フレームで構成された後方フレームと、
前記後方フレームの前方左側に設置される前方左側フレーム、及び後方フレームの前方右側に設置される前方右側フレームで構成された前方フレームと、を含み、
前記前方左側フレームと前方右側フレームの長さを互いに異なるようにして、前記前方右側フレームと前方左側フレームの正面端の上、下部にそれぞれ上部連結フレーム及び下部連結フレームを連結させて前記上、下部連結フレームが前方左側フレームと前方右側フレームの正面で斜線をなし、
前記前方左、右側フレームの前方端には、上、下部に備えられる前方左、右側フレームを支持することができるように前方左、右側支持フレームが垂直に立設されることを特徴とする、ゴルフ練習用ネット。
【請求項２】
前記ネット部の底面は、打撃されたゴルフボールが戻ってくることができるよう、後方に傾斜するように備えられることを特徴とする、請求項１に記載のゴルフ練習用ネット。
【請求項３】
前記後方フレームの前方に設置される前方フレームには、ゴルフボールのターゲットとなるターゲットネットが設置されることを特徴とする、請求項１に記載のゴルフ練習用ネット。
【請求項４】
前記ターゲットネットの後方には、前方フレームに連結されてゴルフボールの打撃の衝撃を緩和させることができるようにするターゲット生地が設置されることを特徴とする、請求項３に記載のゴルフ練習用ネット。
【請求項５】
前記ターゲットネットとターゲット生地は、前方フレームに着脱可能にワイヤークランプでぴんと引っ張ることにより固定されることを特徴とする、請求項４に記載のゴルフ練習用ネット。
【請求項６】
前記前方左側フレームと前方右側フレームは、ゴルフクラブのスイング方向が右から左へと進むと、前方右側フレームが前方左側フレームの長さよりも長くなり、ゴルフクラブのスイング方向が左から右へと進むと、前方左側フレームが前方右側フレームの長さよりも長くなることを特徴とする、請求項１に記載のゴルフ練習用ネット。
【請求項７】
前記前方左、右側フレームと上、下部連結フレームとの連結角度は、前方左側フレームと前方右側フレームとの間隔に応じて２０度〜４０度であることを特徴とする、請求項１に記載のゴルフ練習用ネット。
【請求項８】
前記後方垂直フレームと前方左、右側支持フレームは、それぞれ複数個に分け、高さ調節可能に高さ調節具で連結されることを特徴とする、請求項１に記載のゴルフ練習用ネット。
【請求項９】
前記高さ調節具がねじ形状のターンバックルからなることを特徴とする、請求項８に記載のゴルフ練習用ネット。
【請求項１０】
前記前方左側フレームと前方右側フレームは、複数個に分け、右利き及び左利きの両方とも使用できるように前、後の長さを調節することができることを特徴とする、請求項１に記載のゴルフ練習用ネット。
【請求項１１】
前記前方左、右側フレームの長さ調節は、複数個のフレームに分けられ、パイプ形状のフレームとフレームとが差し込み方式で連結されることにより行われることを特徴とする、請求項１０に記載のゴルフ練習用ネット。
【発明の詳細な説明】
【技術分野】
【０００１】
本発明は、ゴルフ練習用ネットに係り、より詳細には、分解組立されるネットの左、右側のうちのいずれか一方の長さを短くすることにより、スイングの際にゴルフクラブがネットにかかることなく安全にスイングすることができるゴルフ練習用ネットに関する。
【背景技術】
【０００２】
一般に、ゴルフは、さまざまなゴルフクラブを用いてゴルフボールを正確な方向に最も遠くに飛ばして短い打数でゴルフボールをホールカップに入れるスポーツである。
【０００３】
最近、このようなゴルフ競技が大衆化され、多くの人々がゴルフを楽しんでいる。自分のゴルフ実力を向上させるためには十分な練習が必要であるが、ゴルフの特性上、ゴルフボールを正確な方向に最も遠く飛ばす練習を行わなければならないため、ゴルフ場、または施設が揃っているゴルフ練習場を訪ねてこそ練習を行うことができるので、忙しい職場生活をする人の場合は、ゴルフ練習を行うために練習場にまで訪ねなければならない時間と距離上の困難があって十分な練習を行えず、これによりゴルフの実力を向上させることが難しかった。
【０００４】
前述したような実情により、個人的にゴルフ練習を行うためのゴルフ練習装置が発売されているが、このようなゴルフ練習装置は、所定の空間を有する構造物にネットを結合して一定の距離からゴルフボールを打撃する場合にゴルフボールが離脱しないように設置される。
【０００５】
図１は従来のゴルフ練習用ネットの構造を示す斜視図であって、従来のゴルフ練習用ネットの構造は、内側に空間部が形成されるように多数の連結部材からなるフレーム１０と、フレーム１０を連結する多数の連結具２０と、フレーム１０の後面と側面を囲むネット３０とから構成される。
【０００６】
しかしながら、従来のゴルフ練習用ネットの構造は、ネットを巻き付けるためのフレームにおいて、後面のフレームに連結具で左、右側フレームが連結されるが、左側に備えられるフレームの長さと右側に備えられるフレームの長さとが同一になるように備えられることにより、ゴルフボールがネットの内側に打撃できるようにゴルフボールをネットの前方の近接距離に位置させた状態でゴルフボールを打撃するが、ゴルフボールの打撃の際にゴルフクラブのスイング角度によってゴルフクラブがフレームにぶつかるという問題点があった。
【０００７】
このため、スイングの際にゴルフクラブがフレームにぶつからないようにゴルフボールをネットの前方のやや遠い距離に位置させてスイングするが、この際には、ゴルフクラブがフレームにぶつからないが、ゴルフボールがネットの前方から遠く離れており、打撃されるゴルフボールがネットの外方に逸脱するおそれがあり、事故のリスクがあるという問題点があった。
【発明の概要】
【発明が解決しようとする課題】
【０００８】
本発明は、かかる問題点を解決するためになされたもので、その目的は、ネットを巻き付けるフレームの左、右の長さを異にして正面でネットが斜線状に備えられることにより、ゴルフボールをネットの前方の近い位置に置いて打撃しても、ゴルフクラブがフレームにぶつかることなく、ゴルフボールがネットの内側に安全に入ることができるため、ユーザーの満足感及び安全性を向上させることができるゴルフ練習用ネットを提供することにある。
【課題を解決するための手段】
【０００９】
上記目的を達成するための本発明の実施形態に係るゴルフ練習用ネットは、一定の枠組みをなすためのフレーム部と、フレーム部を連結させる連結キャップと、フレーム部を囲むネット部と、を含み、フレーム部は、一定の間隔を置いて左右に垂直に立設される後方垂直フレーム、及び後方垂直フレームの上、下端部にそれぞれ設置される後方水平フレームで構成された後方フレームと、後方フレームの前方左側に設置される前方左側フレーム、及び後方フレームの前方右側に設置される前方右側フレームで構成された前方フレームと、を含み、前方左側フレームと前方右側フレームの長さを互いに異なるようにして、前方右側フレームと前方左側フレームの正面端の上、下部にそれぞれ上部連結フレーム及び下部連結フレームを連結させて上、下部連結フレームが前方左側フレームと前方右側フレームの正面で斜線をなし、前方左、右側フレームの前方端には、上、下部に備えられる前方左、右側フレームを支持することができるように前方左、右側支持フレームが垂直に立設できる。
【００１０】
ネット部の底面は、打撃されたゴルフボールが戻ってくることができるよう、後方に傾斜するように備えられ得る。
【００１１】
後方フレームの前方に設置される前方フレームには、ゴルフボールのターゲットとなるターゲットネットが設置できる。
【００１２】
ターゲットネットの後方には、ゴルフボールの打撃の衝撃を緩和させることができるようにするターゲット生地が設置できる。
【００１３】
ターゲットネットとターゲット生地は、前方フレームに着脱可能にワイヤークランプでぴんと引っ張ることにより固定できる。
【００１４】
前方左側フレームと前方右側フレームは、ゴルフクラブのスイング方向が右から左へと進むと、前方右側フレームが前方左側フレームの長さよりも長くなり、ゴルフクラブのスイング方向が左から右へと進むと、前方左側フレームが前方右側フレームの長さよりも長くなり得る。
【００１５】
前方左、右側フレームと上、下部連結フレームとの連結角度は、前方左側フレームと前方右側フレームとの間隔に応じて２０度〜４０度であり得る。
【００１６】
後方垂直フレームと前方左、右側支持フレームは、それぞれ複数個に分け、高さ調節可能に高さ調節具で連結できる。
【００１７】
高さ調節具は、ねじ形状のターンバックルからなり得る。
【００１８】
前方左側フレームと前方右側フレームは、複数個に分け、右利き及び左利きの両方とも使用できるように前、後の長さを調節することができる。
【００１９】
前方左、右側フレームの長さ調節は、複数個のフレームに分けられ、パイプ形状のフレームとフレームとが差し込み方式で連結されることにより行われ得る。
【発明の効果】
【００２０】
上述したように、本発明に係るゴルフ練習用ネットによれば、後方フレームの前方に設置される前方フレームの前方左側フレームと前方右側フレームの長さを互いに異なるようにして、連結フレームで連結させて連結フレームが正面で左、右側に斜線状に連結されることにより、ゴルフボールをネットの正面の前方に近接距離に置いた状態でゴルフクラブをスイングしても、ゴルフクラブがフレームにぶつからなくなり、使用の利便性及びスイングの安全性を最大化することができるという効果がある。
【図面の簡単な説明】
【００２１】
【図１】従来のゴルフ練習用ネットの構造を示す斜視図である。
【図２】本発明に係るゴルフ練習用ネットのネット部が設置される前の右利きのためのフレーム部を示す分解斜視図である。
【図３】本発明に係るゴルフ練習用ネットのネット部が設置される前に左利きのために長さが調節されたフレーム部を示す分解斜視図である。
【図４】本発明に係るゴルフ練習用ネットを示す斜視図である。
【図５】本発明に係るゴルフ練習用ネットを示す側面図である。
【図６】本発明に係るゴルフ練習用ネットを示す平面図である。
【発明を実施するための形態】
【００２２】
本発明は、様々な変更を加えることができ、様々な実施形態を有することができるので、特定の実施形態を図面に例示し、詳細な説明に詳細に説明する。しかし、これは、本発明を特定の実施形態について限定するものではなく、本発明の思想及び技術範囲に含まれるすべての変更、均等物ないし代替物を含むものと理解されるべきである。
【００２３】
図面において、本発明の実施形態は、図示された特定の形態に限定されるものではなく、明確性を期するために誇張されたものである。本明細書で特定の用語が使用されたが、これらは、本発明を説明するための目的で使用されたものであり、意味を限定するか、或いは特許請求の範囲に記載された本発明の権利範囲を制限するために使用されたものではない。
【００２４】
本明細書において、「および／または」という表現は、前後に羅列された構成要素のうちの少なくとも一つを含む意味で使用される。また、「連結される／結合される」という表現は、他の構成要素と直接連結されるか、或いは別の構成要素を介して間接的に連結されることを含む意味で使用される。本明細書において、単数形は、特に言及しない限り、複数形も含む。また、明細書で使用される「含む」または「含有する」と記載された構成要素、ステップ、動作および素子は、一つ以上の他の構成要素、ステップ、動作および素子の存在または追加を意味する。
【００２５】
実施形態の説明において、各層（膜）、領域、パターンまたは構造物が基板、各側（膜）、領域、パッドまたはパターンの「上／上方（ｏｎ）」にまたは「下／下方（ｕｎｄｅｒ）」に形成されるという記載は、直接（ｄｉｒｅｃｔｌｙ）または別の層を介在して形成されることをすべて含む。各層の上／上方または下／下方に対する基準は、図面を基準に説明する。
【００２６】
以下、添付図面を参照して、本発明の一実施形態を詳細に説明する。
【００２７】
図２は本発明に係るゴルフ練習用ネットのネット部が設置される前の右利きのためのフレーム部を示す分解斜視図、図３は本発明に係るゴルフ練習用ネットのネット部が設置される前に左利きのために長さが調節されたフレーム部を示す分解斜視図、図４は本発明に係るゴルフ練習用ネットを示す斜視図、図５は本発明に係るゴルフ練習用ネットを示す側面図、図６は本発明に係るゴルフ練習用ネットを示す平面図である。
【００２８】
図２乃至図６に示すように、本発明に係るゴルフ練習用ネット１００は、フレーム部２００、連結キャップ３００及びネット部４００を含む。
【００２９】
フレーム部２００は、前方左、右側と後方に互いに連結されて一定の枠組みを成すことができる。
【００３０】
また、フレーム部２００は、ゴルフを練習するための空間に応じて、長さ、幅及び高さが異なるように備えることができる。
【００３１】
フレーム部２００は、後方フレーム２１０、前方フレーム２２０、上部連結フレーム２３０及び下部連結フレーム２４０を含む。
【００３２】
後方フレーム２１０は、一定の間隔を置いて左右に垂直に立設される一対の後方垂直フレーム２１１と、後方垂直フレーム２１１の上端部と下端部にそれぞれ設置され、後方垂直フレーム２１１を連結させることができる後方水平フレーム２１２とを含む。
【００３３】
また、後方垂直フレーム２１１と後方水平フレーム２１２とが互いに連結されることにより、四角形の枠組みを成すことができる。
【００３４】
このとき、後方垂直フレーム２１１と後方水平フレーム２１２は、分離可能に連結キャップ３００で互いに連結される。
【００３５】
後方垂直フレーム２１１は、複数個に分け、高さ調節可能に高さ調節具２５０で連結される。
【００３６】
この時、高さ調節具２５０は、ねじ形状のターンバックルからなる。
【００３７】
前方フレーム２２０は、後方フレーム２１０の前方左側に設置される前方左側フレーム２２１と、後方フレーム２１０の前方右側に設置される前方右側フレーム２２２とを含む。
【００３８】
また、前方左側フレーム２２１と前方右側フレーム２２２は、それぞれ複数個に分け、前、後の長さを調節することができる。
【００３９】
そして、前方左側フレーム２２１と前方右側フレーム２２２の長さ調節は、それぞれ複数のフレームに分けられるが、パイプ形状のフレームとフレームとが差し込み方式で連結されることにより行われる。
【００４０】
すなわち、前方左、右側フレーム２２１、２２２をそれぞれ分離して差し込み方式で連結することにより、前方左、右側フレーム２２１、２２２の長さをそれぞれ調節することができる。
【００４１】
これにより、前方左側フレーム２２１と前方右側フレーム２２２の長さを調節することができるため、スイング方向に合わせて調節して手軽に使用することができる。
【００４２】
また、前方左、右側フレーム２２１、２２２の長さが調節される際に、前方左、右側フレーム２２１、２２２の長さが減少すると、ネット部４００が弛んで折り畳まれ、前方左、右側フレーム２２１、２２２の長さが増加すると、ネット部４００がぴんと引っ張られる。
【００４３】
前方左側フレーム２２１は、後方フレーム２１０の左側の上端部と下端部にそれぞれ連結され、一対が水平をなす。
【００４４】
また、前方左側フレーム２２１の前方端には、上、下部に備えられる前方左側フレーム２２１を支持することができるように前方左側支持フレーム２２３が垂直に立設される。
【００４５】
前方右側フレーム２２２は、後方フレーム２１０の右側の上端部と下端部にそれぞれ連結され、一対が水平をなす。
【００４６】
また、前方右側フレーム２２２の前方端には、上、下部に備えられる前方右側フレーム２２２を支持することができるように前方右側支持フレーム２２４が垂直に立設される。
【００４７】
これと共に、前方左、右側支持フレーム２２３、２２４は、複数個に分け、高さ調節可能に高さ調節具２５０で連結される。
【００４８】
この時、高さ調節具２５０は、ねじ形状のターンバックルからなる。
【００４９】
前方左側フレーム２２１と前方右側フレーム２２２は、互いに異なる長さを有する。
【００５０】
また、前方左側フレーム２２１と前方右側フレーム２２２の長さは、練習者のスイング方向に応じて前方左側フレーム２２１の長さを長くするか、或いは前方右側フレーム２２２の長さを長くする。
【００５１】
つまり、前方左側フレーム２２１と前方右側フレーム２２２は、練習者が右利きであってゴルフクラブのスイング方向が右から左へと進むと、図２に示すように、前方右側フレーム２２２の長さを前方左側フレーム２２１の長さよりも長くしてゴルフクラブが前方左側フレーム２２１にぶつからないようにし、練習者が左利きであってゴルフクラブのスイング方向が左から右へと進むと、図３に示すように、前方左側フレーム２２１の長さを前方右側フレーム２２２の長さよりも長くしてゴルフクラブが前方右側フレーム２２２にぶつからないようにするのである。
【００５２】
上部連結フレーム２３０は、前方右側フレーム２２２と前方左側フレーム２２１の正面端の上部に連結され、上端部に備えられる前方右側フレーム２２２と前方左側フレーム２２１とを連結させる。
【００５３】
下部連結フレーム２４０は、前方右側フレーム２２２と前方左側フレーム２２１の正面端の下部に連結され、下端部に備えられる前方右側フレーム２２２と前方左側フレーム２２１とを連結させる。
【００５４】
上部連結フレーム２３０と下部連結フレーム２４０は、前方右側フレーム２２２と前方左側フレーム２２１に連結されるとき、前方右側フレーム２２２と前方左側フレーム２２１の長さが互いに異なるように備えられ、前方左側フレーム２２１と前方右側フレーム２２２の正面で斜線をなしながら設置されるのである。
【００５５】
また、前方左側フレーム２２１と前方右側フレーム２２２に連結される上部連結フレーム２３０と下部連結フレーム２４０との連結角度θは、前方左側フレーム２２１と前方右側フレーム２２２との間隔に応じて２０度〜４０度の角度である。
【００５６】
つまり、前方左側フレーム２２１と前方右側フレーム２２２との間隔が広い場合には、ゴルフクラブのスイング範囲が広くなって上、下部連結フレーム２３０、２４０の連結角度を小さくし、前方左側フレーム２２１と前方右側フレーム２２２との間隔が小さい場合には、ゴルフクラブのスイング範囲が小さくなって上、下部連結フレーム２３０、２４０の連結角度を大きくする。
【００５７】
前方左、右側フレーム２２１、２２２の後方には、ゴルフボールのターゲットとなるターゲットネット４１０と、ゴルフボールの打撃の衝撃を緩和させることができるようにするターゲット生地４２０とが設置される。
【００５８】
ターゲットネット４１０とターゲット生地４２０は、前方左、右側フレーム２２１、２２２に着脱可能にワイヤークランプ４３０でピンと引っ張ることにより固定される。
【００５９】
連結キャップ３００は、フレーム部２００を連結させて、フレーム部２００が一定の枠組みを維持することができるようにする。
【００６０】
また、連結キャップ３００は、後方フレーム２１０の後方垂直フレーム２１１と後方水平フレーム２１２の両端に連結されて後方垂直フレーム２１１と後方水平フレーム２１２とを互いに連結させ、後方フレーム２００の前方に前方左側フレーム２２１と前方右側フレーム２２２を連結させ、前方左側フレーム２２１と前方右側フレーム２２２の前方に上部連結フレーム２３０と下部連結フレーム２４０を連結させることができる。
【００６１】
連結キャップ３００は、通常、テントなどのポールを連結させるもので、既に広く通用化されて使用されているので、その構造についての詳細説明は省略する。
【００６２】
ネット部４００は、フレーム部２００に連結され、打撃されるゴルフボールを防ぐことができるようにフレーム部２００を囲む。
【００６３】
すなわち、後方フレーム２１０、前方フレーム２２０及び上、下部連結フレーム２３０、２４０の内側面にネット部４００が設置され、前方を除く後方及び左、右側を防ぐことができ、前方からゴルフボールを打撃すると、ゴルフボールがゴルフ練習用ネット１００の外側に飛んで行かず、ネット部４００の内側に落ちる。
【００６４】
また、ネット部４００の底面は、打撃されたゴルフボールがネット部４００に当たって前方に戻ってくることができるよう、前方から後方に傾斜するように備えられる。
【００６５】
ネット部４００は、フレーム部２００にワイヤーで巻いたり、マジックテープ（登録商標）で固定したりすることができる。
【００６６】
次に、上述した構造を持つ本発明のゴルフ練習用ネットによる作用状態を説明する。
【００６７】
後方垂直フレーム２１１と後方水平フレーム２１２が四角状の枠組みからなるように連結キャップ３００で連結され、後方フレーム２１０の前半に前方左、右側フレーム２２１、２２２の前方フレーム２２０が連結キャップ３００で連結され、前方左、右側フレーム２２１、２２２の前方の上、下端部に上、下部連結フレーム２３０、２４０が連結キャップ３００で連結された後、後方フレーム２１０と前方フレーム２２０の内側にネット部４００が連結される。
【００６８】
前方フレーム２２０の前方の上、下部に上部連結フレーム２３０と下部連結フレーム２４０が連結されるとき、前方左側フレーム２２１と前方右側フレーム２２２の長さが互いに異なるように備えられることにより、上、下部連結フレーム２３０、２４０が前方で一定の角度θをなしながら斜線状に連結される。
【００６９】
このように、前方左側フレーム２２１と前方右側フレーム２２２の長さを互いに異なるようにして、前方右側フレーム２２２の長さを前方左側フレーム２２１の長さよりも長くするか、或いは前方左側フレーム２２１の長さを前方右側フレーム２２２の長さよりも長くすることにより、ゴルフボールをゴルフ練習用ネット１００の前方になるべく近い距離に置き、ゴルフボールを打撃するためにゴルフクラブをスイングしても、ゴルフクラブのスイング方向や角度に関係なく、ゴルフクラブが前方左側フレーム２２１及び前方右側フレーム２２２に触れないため安全なスイングが可能となる。
【００７０】
これと共に、前方左側フレーム２２１と前方右側フレーム２２２の長さを異にしながら、前方左、右側フレーム２２１、２２２に連結される上、下部連結フレーム２３０、２４０が正面で傾くように斜線状に備えられることにより、スイングの際にゴルフクラブが前方左側フレーム２２１または前方右側フレーム２２２にぶつかるおそれがないため、ゴルフボールの位置をゴルフ練習用ネット１００の最大限前方に置くことができるので、打撃されるゴルフボールがネット部４００の外側に飛んで行かず、ネット部４００の内側に飛んで行って事故を防止することができる。
【００７１】
また、前方左側フレーム２２１と前方右側フレーム２２２とをそれぞれ差し込み方式で連結することにより、スイング方向に応じて前方左、右側フレーム２２１、２２２の長さを調節して、右利き及び左利きを問わずに使用が可能である。
【００７２】
そして、後方垂直フレーム２１１と前方左、右側支持フレーム２２３、２２４が互いに分離されて高さ調節具２５０で連結されることにより、高さ調節具２５０によって高さを調節することができるため、設置スペースを問わずに設置が容易であってユーザーの利便性を向上させることができる。
【００７３】
以上で説明したように、本発明は、上述した特定の好適な実施形態に限定されず、特許請求の範囲で請求する本発明の要旨を逸脱することなく、当該発明の属する技術分野における通常の知識を有する者であれば、誰でも様々な変形実施が可能であるのはもとより、それらの変更も特許請求の範囲に記載の範囲内にある。
【符号の説明】
【００７４】
１００    ゴルフ練習用ネット
２００    フレーム部
２１０    後方フレーム
２１１    後方垂直フレーム
２１２    後方水平フレーム
２２０    前方フレーム
２２１    前方左側フレーム
２２２    前方右側フレーム
２２３    前方左側支持フレーム
２２４    前方右側支持フレーム
２３０    上部連結フレーム
２４０    下部連結フレーム
２５０    高さ調節具
３００    連結キャップ
４００    ネット部
４１０    ターゲットネット
４２０    ターゲット生地
４３０    ワイヤークランプ
【図１】
2021514285.tif 000003
【図２】
2021514285.tif 000004
【図３】
2021514285.tif 000005
【図４】
2021514285.tif 000006
【図５】
2021514285.tif 000007
【図６】
2021514285.tif 000008
【手続補正書】
【提出日】令和2年9月11日(2020.9.11)
【手続補正１】
【補正対象書類名】特許請求の範囲
【補正対象項目名】全文
【補正方法】変更
【補正の内容】
【特許請求の範囲】
【請求項１】
一定の枠組みをなすためのフレーム部と、
前記フレーム部を連結させる連結キャップと、
前記フレーム部を囲むネット部と、を含み、
前記フレーム部は、一定の間隔を置いて左右に同じ長さをもって垂直に立設される後方垂直フレーム、及び前記後方垂直フレームの上端部と下端部とにそれぞれ同じ長さで設置される後方水平フレームで構成された後方フレームと、
前記後方フレームの前方左側に設置される、上下に同じ長さを持つ前方左側フレーム、及び後方フレームの前方右側に設置される、上下に同じ長さを持つ前方右側フレームで構成された前方フレームと、を含み、
前記前方左側フレームと前記前方右側フレームの長さを互いに異なるようにして、前記前方右側フレームと前記前方左側フレームの正面端の上部及び下部にそれぞれ上部連結フレーム及び下部連結フレームを連結させて前記上部連結フレーム及び下部連結フレームが前記前方左側フレームと前記前方右側フレームの正面で斜線をなし、
前記前方左側フレーム及び前記前方右側フレームと前記上部連結フレーム及び下部連結フレームとの連結角度、すなわち前記前方左側フレーム及び前記前方右側フレームの垂直方向と前記上部連結フレーム及び下部連結フレームとがなす角度は、２０度〜４０度であり、
前記前方左側フレーム及び前記前方右側フレームの前方端には、上部及び下部に備えられる前記前方左側フレーム及び前記前方右側フレームを支持することができるように同じ長さの前方左側支持フレーム及び前方右側支持フレームが垂直に立設され、
前記前方左側フレームと前記前方右側フレームは、ゴルフクラブのスイング方向が右から左へと進むと、前記前方右側フレームが前記前方左側フレームの長さよりも長くなり、前記ゴルフクラブのスイング方向が左から右へと進むと、前記前方左側フレームが前記前方右側フレームの長さよりも長くなる、ゴルフ練習用ネット。
【請求項２】
前記ネット部の底面は、打撃されたゴルフボールが戻ってくることができるよう、後方に傾斜するように備えられる、請求項１に記載のゴルフ練習用ネット。
【請求項３】
前記後方フレームの前方に設置される前方フレームには、ゴルフボールのターゲットとなるターゲットネットが設置される、請求項１または２に記載のゴルフ練習用ネット。
【請求項４】
前記ターゲットネットの後方には、前記ゴルフボールの打撃の衝撃を緩和させることができるようにするターゲット生地が設置される、請求項３に記載のゴルフ練習用ネット。
【手続補正２】
【補正対象書類名】明細書
【補正対象項目名】００７４
【補正方法】変更
【補正の内容】
【００７４】
１００    ゴルフ練習用ネット
２００    フレーム部
２１０    後方フレーム
２１１    後方垂直フレーム
２１２    後方水平フレーム
２２０    前方フレーム
２２１    前方左側フレーム
２２２    前方右側フレーム
２２３    前方左側支持フレーム
２２４    前方右側支持フレーム
２３０    上部連結フレーム
２４０    下部連結フレーム
２５０    高さ調節具
３００    連結キャップ
４００    ネット部
４１０    ターゲットネット
４２０    ターゲット生地
４３０    ワイヤークランプ
［項目１］
一定の枠組みをなすためのフレーム部と、
上記フレーム部を連結させる連結キャップと、
上記フレーム部を囲むネット部と、を含み、
上記フレーム部は、一定の間隔を置いて左右に垂直に立設される後方垂直フレーム、及び上記後方垂直フレームの上、下端部にそれぞれ設置される後方水平フレームで構成された後方フレームと、
上記後方フレームの前方左側に設置される前方左側フレーム、及び後方フレームの前方右側に設置される前方右側フレームで構成された前方フレームと、を含み、
上記前方左側フレームと前方右側フレームの長さを互いに異なるようにして、上記前方右側フレームと前方左側フレームの正面端の上、下部にそれぞれ上部連結フレーム及び下部連結フレームを連結させて上記上、下部連結フレームが前方左側フレームと前方右側フレームの正面で斜線をなし、
上記前方左、右側フレームの前方端には、上、下部に備えられる前方左、右側フレームを支持することができるように前方左、右側支持フレームが垂直に立設されることを特徴とする、ゴルフ練習用ネット。
［項目２］
上記ネット部の底面は、打撃されたゴルフボールが戻ってくることができるよう、後方に傾斜するように備えられることを特徴とする、項目１に記載のゴルフ練習用ネット。
［項目３］
上記後方フレームの前方に設置される前方フレームには、ゴルフボールのターゲットとなるターゲットネットが設置されることを特徴とする、項目１に記載のゴルフ練習用ネット。
［項目４］
上記ターゲットネットの後方には、前方フレームに連結されてゴルフボールの打撃の衝撃を緩和させることができるようにするターゲット生地が設置されることを特徴とする、項目３に記載のゴルフ練習用ネット。
［項目５］
上記ターゲットネットとターゲット生地は、前方フレームに着脱可能にワイヤークランプでぴんと引っ張ることにより固定されることを特徴とする、項目４に記載のゴルフ練習用ネット。
［項目６］
上記前方左側フレームと前方右側フレームは、ゴルフクラブのスイング方向が右から左へと進むと、前方右側フレームが前方左側フレームの長さよりも長くなり、ゴルフクラブのスイング方向が左から右へと進むと、前方左側フレームが前方右側フレームの長さよりも長くなることを特徴とする、項目１に記載のゴルフ練習用ネット。
［項目７］
上記前方左、右側フレームと上、下部連結フレームとの連結角度は、前方左側フレームと前方右側フレームとの間隔に応じて２０度〜４０度であることを特徴とする、項目１に記載のゴルフ練習用ネット。
［項目８］
上記後方垂直フレームと前方左、右側支持フレームは、それぞれ複数個に分け、高さ調節可能に高さ調節具で連結されることを特徴とする、項目１に記載のゴルフ練習用ネット。
［項目９］
上記高さ調節具がねじ形状のターンバックルからなることを特徴とする、項目８に記載のゴルフ練習用ネット。
［項目１０］
上記前方左側フレームと前方右側フレームは、複数個に分け、右利き及び左利きの両方とも使用できるように前、後の長さを調節することができることを特徴とする、項目１に記載のゴルフ練習用ネット。
［項目１１］
上記前方左、右側フレームの長さ調節は、複数個のフレームに分けられ、パイプ形状のフレームとフレームとが差し込み方式で連結されることにより行われることを特徴とする、項目１０に記載のゴルフ練習用ネット。
【国際調査報告】
2021514285.tif 000009
2021514285.tif 000010
2021514285.tif 000011
2021514285.tif 000012